(57)【要約】【課題】ランプを脱着しやすく、かつランプの傾きを抑制可能なソケットおよびランプ装置を提供する。【解決手段】本発明は、発光部３１およびシール部３２を有するバルブ３と、リード４とを備えたランプ１と、シール部収容空間６５を有するソケット本体６と、シール部収容空間６５内に配置された支持端子７６とを備えたソケット２と、を具備し、ランプ１のシール部３２がソケット２のシール部収容空間６５に挿入保持されたランプ装置であって、支持端子７６は、第一の金属片７６１と、第二の金属片７６２と、第一、第二の金属片７６１、７６２を繋ぐ連結部７６３とを備え、連結部７６３を支点として、第一の金属片７６１と第二の金属片７６２とが揺動運動可能に構成されており、シール部３２は、第一の金属片７６１および第二の金属片７６２に接触保持されている。【選択図】図２
2012069403.tif 000002
【特許請求の範囲】
【請求項１】
発光部、前記発光部に連接するように形成されたシール部を有するバルブと、一端は前記発光部内に配置され、他端は前記シール部から導出されたリードとを備えたランプと、
シール部収容空間を有するソケット本体と、前記シール部収容空間を形成する短側壁に沿うように、前記シール部収容空間内に配置された支持端子とを備えたソケットと、を具備し、
前記ランプの前記シール部が前記ソケットの前記シール部収容空間に挿入保持されたランプ装置であって、
前記支持端子は、第一の金属片と、第二の金属片と、前記第一、第二の金属片を繋ぐ連結部とを備え、前記連結部を支点として、前記第一の金属片と第二の金属片とが揺動運動可能に構成されており、
前記シール部は、前記第一の金属片および前記第二の金属片に接触保持されていることを特徴とするランプ装置。
【請求項２】
ランプのシール部を挿入可能なシール部収容空間を有するソケット本体と、前記シール部収容空間を形成する短側壁に沿うように、前記シール部収容空間内に配置された支持端子とを備えたソケットであって、
前記支持端子は、第一の金属片と、第二の金属片と、前記第一、第二の金属片を繋ぐ連結部とを備え、前記連結部を支点として、前記第一の金属片と第二の金属片とが揺動運動可能に構成されていることを特徴とするソケット。
【発明の詳細な説明】
【技術分野】
【０００１】
本発明は、自動車の尾灯や方向指示灯などに用いられるランプを取り付けるためのソケットおよびランプ装置に関する。
【背景技術】
【０００２】
現在、自動車の尾灯などに用いられるランプには、特許文献１や特許文献２に記載のようにウエッジベースランプが使用されている。このランプは、灯具などに配置された専用のソケットに装着される。このランプのソケットへの装着では、装着によってそれらの電気的な接続が完了するとともに、脱着が可能であることが要求される。
【０００３】
ここで、ランプとソケットの装着状態において、特許文献２の図１２に記載のように、ランプに横方向、具体的にはフィラメントの長手方向に沿う方向の力が加わったときに、ランプが傾くという問題が生じている。このようにランプが傾く場合があるようだと、ランプ装置に大きな衝撃が加わったときに、ランプに複雑な振動が生じてフィラメントを断線させてしまうことがあるとともに、ランプがソケットに対して傾いた状態では光中心のズレにより、光源性能の低下等が発生することがある。この問題に対し、特許文献２では、剛体突起および剛体張りだし部からなる規制部をソケット内部に設けており、これによって当該問題を解決できると記載されている。
【先行技術文献】
【特許文献】
【０００４】
【特許文献１】特許第３７１０６４８号
【特許文献２】特開２０００−４０５６６号公報
【発明の概要】
【発明が解決しようとする課題】
【０００５】
しかし、発明者の検討の結果、特許文献２のような構造では、剛体突起および剛体張りだし部のシール部に作用するバネ弾性が弱いために、ランプの傾きを効果的に抑制することができないことがわかった。
【０００６】
本発明の目的は、ランプを脱着しやすく、かつランプの傾きを抑制可能なソケットおよびランプ装置を提供することにある。
【課題を解決するための手段】
【０００７】
本発明は、発光部、前記発光部に連接するように形成されたシール部を有するバルブと、一端は前記発光部内に配置され、他端は前記シール部から導出されたリードとを備えたランプと、シール部収容空間を有するソケット本体と、前記シール部収容空間を形成する短側壁に沿うように、前記シール部収容空間内に配置された支持端子とを備えたソケットと、を具備し、前記ランプの前記シール部が前記ソケットの前記シール部収容空間に挿入保持されたランプ装置であって、前記支持端子は、第一の金属片と、第二の金属片と、前記第一、第二の金属片を繋ぐ連結部とを備え、前記連結部を支点として、前記第一の金属片と第二の金属片とが揺動運動可能に構成されており、前記シール部は、前記第一の金属片および前記第二の金属片に接触保持されていることを特徴とする。
【発明の効果】
【０００８】
本発明によれば、ランプを脱着しやすく、かつランプの傾きを抑制可能なソケットおよびランプ装置を提供することができる。
【図面の簡単な説明】
【０００９】
【図１】本発明の第１の実施の形態のランプ装置について説明するための図である。
【図２】ソケットのみを断面とした図１のランプ装置について説明するための図である。
【図３】ソケットについて説明するための図である。
【図４】金属端子について説明するための図である。
【図５】ソケットへのランプ装着について説明するための図である。
【図６】各段階におけるランプとシール部の装着の様子を示す図である。
【図７】図５の各状態における要部拡大図である。
【図８】本発明の第２の実施の形態のランプ装置について説明するための図である。
【図９】ソケットへのランプ装着について説明するための図である。
【発明を実施するための形態】
【００１０】
（第１の実施の形態）
図１および図２を参照して、本発明の実施形態の一例について説明する。図１は、本発明の第１の実施の形態のランプ装置について説明するための図、図２は、ソケットのみを断面とした図１のランプ装置について説明するための図である。
【００１１】
本形態のランプ装置は、ランプ１とソケット２とで構成されている。
【００１２】
ランプ１は、主要部としてガラスバルブ３を備えている。ガラスバルブ３は、例えばホウ珪酸ガラスからなるもので、発光部３１とシール部３２とで構成されている。発光部３１は、円筒と半球を組み合わせた形状となっており、その内部の空間には、キセノンなどのガスが封入されている。シール部３２は、面積の大きな主面、側面および端面を備えた板状の部分であり、ガラスバルブ３の内部を気密に保つため、発光部３１に連接するように形成されている。なお、シール部３２は、ピンチャーによって圧潰する、いわゆるピンチシールすることにより形成することができ、発光部３１内の排気及びガス導入は、排気管３３により行うことができる。また、ピンチャーの形状により、図２（ｂ）のように、厚み方向に突出する突状部が形成された主面を備えたシール部３２を形成することもできる。
【００１３】
シール部３２の内部には、例えばニッケルからなる一対のリード４が封着されている。リード４の一端は発光部３１の内部空間に導出され、その先端には折り返されることで形成されたクランプ部４１が設けられている。一方、リード４の他端はシール部３２の外部に端面部分から導出され、その先端にはシール部３２の主面に沿うように折り返されることで形成された受電部４２が設けられてなる。なお、本実施の形態では一対の受電部４２は、一の主面に対して一つが沿うように形成されている。
【００１４】
発光部３１の内部には、タングステンからなるフィラメント５が設けられている。フィラメント５は、螺旋状に形成されてなる主発熱部５１とその両端に形成された一対のレグ部５２とからなり、レグ部５２が一対のリード４のクランプ部４１に狭持されることで発光部３１中に配置されている。
【００１５】
ソケット２は、主要部として例えばＰＰＳ樹脂により形成されてなるソケット本体６を備えている。ソケット本体６は、シール部収容部６１と円盤状のフランジ部６２と円筒状部６３と灯具等に取り付けるための係止突起６４で構成されている。
【００１６】
シール部収容部６１は、図３に示すように、内部にシール部収容空間６５を備えている。このシール部収容空間６５は、シール部３２を収容するための空間であるので、シール部収容空間６５を形成する短側壁６６と長側壁６７は、シール部３２や排気管３３の形状と合致するような形状や長さになっている。シール部収容部６１の短側壁６６の開口側には、空間が外方向に広がるように、逃げ空間６８が形成されている。また、シール部収容部６１には、凹部６９が複数形成されている。
【００１７】
このシール部収容空間６５には、例えばステンレスからなる一枚の金属板を折り曲げ加工することによって形成した金属端子７が配置される。金属端子７は、図４に示すように、本体基板部７１、給電端子７２、受電端子７３、屈曲基板部７４、支持基板部７５および支持端子７６で構成されている。
【００１８】
本体基板部７１は金属端子７の本体となる基板である。給電端子７２は、ランプ１に電力を供給するための金属片であり、本体基板部７１の面に対して垂直な方向に弾性を備えるよう本体基板部７１から１８０°折り返されてなる。受電端子７３は、外部装置から電力を受けるための金属片であり、本体基板部７１の面に対して垂直な方向であって、給電端子７２が形成されている側とは反対側に突出形成されてなる。屈曲基板部７４は、本体基板部７１の面に対して垂直な方向に設けられた基板である。支持基板部７５は、支持端子７６を支持するための基板である。
【００１９】
支持端子７６は、屈曲基板部７４と支持基板部７５の間に形成された波状の金属片であり、第一の金属片７６１、第二の金属片７６２および連結部７６３とで構成されている。第一の金属片７６１は、屈曲基板部７４に対して垂直の方向に凸の形状に形成されてなる金属片である。第二の金属片７６２は、屈曲基板部７４に対して垂直の方向に突出するように形成されてなる金属片である。連結部７６３は、前記第一、第二の金属片の略中間部に位置し、それらを繋ぐ連結部分であり、さらに連結部７６３は屈曲基板部７４および支持基板部７５とも繋がっている。
【００２０】
支持端子７６がこのような構成であることにより、第一の金属片７６１および第二の金属片７６２は屈曲基板部７４に対して垂直の方向に弾性を保持することになり、それらの先端は連結部７６３に対して自由端となる。その結果、支持端子７６は連結部７６３を支点として、第一の金属片７６１と第二の金属片７６２とが揺動運動（シーソー運動）可能な端子となる。すなわち、第一の金属片７６１に力が加わった場合、第二の金属片７６２は連結部７６３を支点としてその力の方向とは逆の向きに動くようになる。第二の金属片７６２に力が加わった場合も同様に、連結部７６３を支点として第一の金属片７６１がその力の方向とは逆の向きに動くようになる。ちなみに、この揺動運動を起こしやすくするため、連結部７６３は壁、本実施の形態においては短側壁６６に接触しないように配置するのが望ましい。
【００２１】
この支持端子７６は一対で構成され、図５のように、シール部収容部６１のシール部収容空間６５に収容される。具体的には、第一の金属片７６１が開口側、第二の金属片７６１が底部側となるように、本体基板部７１および支持基板部７５を凹部６９に嵌め込むことにより、支持端子７６はシール部収容部６１のシール部収容空間６５に固定配置される。
【００２２】
この支持端子７６が収容されたシール部収容空間６５にランプ１のシール部３２を挿入することで、図２（ａ）に示すように、シール部３２の側面が第一の金属片７６１と第二の金属片７６２によって接触保持されるようになる。このように、連結部７６３の開口側と底部側において、シール部３２の側面を第一の金属片７６１と第二の金属片７６２により接触保持するようにしたことで、シール部３２の強固な保持が可能となり、ランプ１に衝撃や振動が加わったとしても、ランプ１が傾くことを抑制することができる。すなわち、シール部３２と第一の金属片７６１および第二の金属片７６２は、それぞれＸ地点、Ｙ地点で接触するようになるが、これらＸ地点とＹ地点は支点となる連結部７６３から距離が従来品などと比べても近いため、シール部３２に作用する第一の金属片７６１、第二の金属片７６２によるバネ弾性が大きくなるためである。また、Ｘ地点とＹ地点との距離が十分に確保されることで、シール部３２側面の両端部付近が保持されるようになるため、シール部３２の側面保持のバランスがよくなるためである。
【００２３】
ここで、シール部収容空間６５へのランプ１の装着について、図６および図７を参照して説明する。図６は、各段階におけるランプとシール部の装着の様子について示す図、図７は、図６のＡ、Ｂ、Ｃの拡大図について説明するための図である。
【００２４】
まず、図６（ａ）のように、ランプ１のシール部３２をソケット２のシール部収容空間６５を開始する。このとき、支持端子７６によってシール部３２を支持可能とすべく、一対の支持端子７６による間隔ｄ２は、シール部６の幅ｄ１よりもあらかじめ小さく設定されている。また、シール部３２を挿入しやすくするため、図７（ａ）に示すように、第一の金属片７６１の凸形状部分の角度αを４５°〜６５°に設定するのが望ましい。さらに、シール部３２の挿入をしやすくしつつ、シール部３２の保持を強固にするため、第一の金属片７３１の高さｈ１を、第二の金属片７３２の高さｈ２よりも低く設定するのが望ましい。
【００２５】
シール部３２をシール部収容空間６５に挿入していくと、受電部４２と給電端子７２とが、シール部３２と第一の金属片７６１とが接触しつつ、シール部３２がシール部収容空間６５の奥に入っていくことになる。シール部３２が第一の金属片７６１に接触すると、図６（ｂ）のように、第一の金属片７６１の先端を外方向に押すようになる。そのため、図７（ｂ）に示すように、第一の金属片７６１は、連結部７６３を支点として外方向に動いて、その先端は逃げ空間６８にまで動き、一方、第二の金属片７６２の先端は揺動運動によってシール部収容空間６５の中央方向に動くことになる。
【００２６】
シール部３２をシール部収容空間６５にさらに挿入していくと、今度はシール部３２が第二の金属片７６２に接触して、第二の金属片７６２を外方向に押すようになる。そのため、第二の金属片７６２は、連結部７６３を支点として外方向に動き、一方、第一の金属片７６１は揺動運動によってシール部収容空間６５の中央方向に動くことになる。そして、ランプのシール部３２をソケット２のシール部収容空間６５の奥まで挿入すると、図６（ｃ）のように、第一の金属片７６１と第二の金属片７６２がシール部部３２の側面のＸ地点、Ｙ地点で接触し、ランプ１のソケット２への固定が完了する。このような支持端子７６の一連の揺動運動により、容易にソケット２へのランプの装着することができる。また、ランプ１をソケット２から外すときも同様に、シール部３２の動きによって支持端子７６が揺動運動するため、ランプの取り外しを容易に行うことができる。
【００２７】
したがって、本実施の形態では、第一の金属片７６１と、第二の金属片７６２と、第一、第二の金属片７６１、７６２を繋ぐ連結部７６３とを備え、連結部７６３を支点として、第一の金属片７６１と第二の金属片７６２とが揺動運動可能に構成された支持端子７の第一の金属片７６１および第二の金属片７６２により、シール部３２の側面が接触保持されていることにより、連結部７６３の開口側と底部側において、シール部３２の側面を第一の金属片７６１および第二の金属片７６２により接触保持することができる。そのため、ランプ１に衝撃や振動などによる力がかかったとしても、ランプ１が傾くことを抑制することができる。また、第一の金属片７６１と第二の金属片７６２が揺動運動することにより、ソケット２へのランプ１の着脱を容易に行うことができる。つまり、ランプの管軸に対して垂直方向の力には強いが、ランプを脱着する方向の力には抵抗の少ないソケット２を実現することができる。
【００２８】
以上、実施の形態をいくつか説明したが、本発明は上記に限られるわけではなく、例えば次のように変更してもよい。
【００２９】
シール部３２は、実施の形態の形状、厚み等に限定されない。例えば、図８のように、シール部３２の側面に突起３２１が形成されたものであっても本発明を適用できる。ちなみに、このようなシール部３２の場合には、図９に示すように、突起３２１により第一の金属片７６１の動きが大きくなるため、逃げ空間６８をさらに大きくするのが望ましい。また、シール部３２を保持したときに、連結部７６３が傾いた状態にならないよう、連結部７６３のうち底部側の約半分は、壁に接触するような短側壁６６の形状とするのが望ましい。
【００３０】
リード４は、一対に限らず、さらにもう一対設けらたりしてもよい。
【００３１】
受電端子７３は、実施の形態のような構成である必要はなく、例えば、本体基板部７１から延長するようにソケット２の底部方向に延びて、円筒状部６３の内部に突出するようなピン端子であってもよい。
【００３２】
支持端子７６は、本体基板部７１や給電端子７２、受電端子７３などと別体であってもよい。
【産業上の利用可能性】
【００３３】
本発明は、自動車の尾灯や方向指示灯などに用いられるランプを取り付けるためのソケットおよびランプ装置として利用することができる。
【符号の説明】
【００３４】
１  ランプ
２  ソケット
３  バルブ
３２  シール部
４  リード
５  フィラメント
６  ソケット本体
６５  シール部収容空間
７  金属端子
７６  支持端子
７６１  第一の金属片
７６２  第二の金属片
７６３  連結部
【図１】
2012069403.tif 000003
【図２】
2012069403.tif 000004
【図３】
2012069403.tif 000005
【図４】
2012069403.tif 000006
【図５】
2012069403.tif 000007
【図６】
2012069403.tif 000008
【図７】
2012069403.tif 000009
【図８】
2012069403.tif 000010
【図９】
2012069403.tif 000011